(57)【要約】      （修正有）【課題】コンプレッサーの切替弁を提供する。【解決手段】コンプレッサー２の空気吹出しパイプ２１に、連結部材３を介して、切替弁１００が設けられ、弁座４、弁体５、漏洩防止ガスケット６、リング状体７及び摘み８から構成される。弁座４には少なくとも二つの継手管４３,４４が設けられ、それぞれに導管４５，４７が接続される。摘み８を回転することにより弁体５が連動されて回転されると、弁体５の空気抜き穴４２が、弁座４の前記継手管４３，４４のいずれか一方の空気吹出しポート４３０，４４０に一致するようになる。コンプレッサー２を駆動すると、空気が空気吹出しパイプ２１から連結部材３の空気吹出しポート３２へと案内され、弁体５の空気吹出しポート５３を介して、弁体５内に入り、弁体５の空気抜き穴４２に接続された選択された方の継手管から導管内に導入され、空気が空気補充用の部品に補充される。【選択図】図２
0003133716.tif 000002
【実用新案登録請求の範囲】
【請求項１】
シリンダに空気吹出しパイプが設けられたコンプレッサーにおいて、
前記空気吹出しパイプの一端部に空気吹出しパイプが連接されるための継手管が設けられ、他端部に継手管を貫通する空気吹出しポートが設けられた連結部材に連結された、弁座、弁体、漏洩防止ガスケット、リング状体、切替用の摘みとからなる切替弁を備えてなり、
前記切替弁の弁座は、前記連結部材の一端部側に配設され、一端内部に収納室を有し、且つ他端に収納室を軸方向に貫通する貫通穴が設けられてなり、更に軸方向と直交する方向に形成した少なくとも二つの継手管を有し、前記各継手管にはそれぞれ前記収納室に貫通する空気吹出しポートが設けられると共に、各継手管には先端部に接続ヘッドを備えた導管が連接されており、
前記弁体は前記弁座の収納室内に配設され、一端面に環状槽とエアー槽とが設けられ、かつ外周壁面に凹槽が設けられてなり、前記凹槽にエアー槽に連通する排気口と位置決め用の突起部が設けられると共に、他端に回動軸体が設けられており、
前記漏洩防止ガスケットは前記弁体の環状槽内に設けられており、
前記リング状体は前記弁体の凹槽に配設され、周壁に軸方向と直行する貫通穴が設けられ、且つ内壁面に、位置決め嵌合槽が設けられており、
前記切替摘みは前記弁体の回動軸体の端部に装着されるようになっていることを特徴とするコンプレッサーの切替弁。
【考案の詳細な説明】
【技術分野】
【０００１】
本考案は、コンプレッサーの切替弁に関し、特に、少なくとも二つ以上の導管が連接されるコンプレッサーにおいて、前記導管における排気を切り替えるためのコンプレッサーの切替弁に関する。
【背景技術】
【０００２】
コンプレッサーの空気吹出しパイプにおいて、従来の一般的構成としては単一の空気吹出しパイプが設けられたものが知られている。
即ち、図１に示すように、コンプレッサー１は、シリンダ１０の一側に空気吹出しパイプ１１の一端が設けられ、該空気吹出しパイプ１１の他端には接続ヘッド１２が設けられている。前記接続ヘッド１２はその先端部が空気補充用の部品（例えば、タイヤバルブ等）に螺着結合されるようになっている。
【０００３】
しかしながら、従来のコンプレッサー１は、前記のように単一の空気吹出しパイプ１１が設けられているだけの構成であるため、該空気吹出しパイプ１１の接続ヘッド１２を単一の空気補充用部品の連接部に螺着結合することができるが、同時に他の連接部に螺着結合することができないため、実用上不便である。
【考案の開示】
【考案が解決しようとする課題】
【０００４】
従って、本考案においては、少なくとも二つ以上の導管に連接され、空気の吹出し位置を切替可能としたコンプレッサーの切替弁を提供する。
【課題を解決するための手段】
【０００５】
本考案は、シリンダに空気吹出しパイプが設けられたコンプレッサーにおいて、前記空気吹出しパイプの一端部に空気吹出しパイプが連接されるための継手管が設けられ、他端部に継手管を貫通する空気吹出しポートが設けられた連結部材に連結された、弁座、弁体、漏洩防止ガスケット、リング状体、切替用の摘みとからなる切替弁を備えてなり、前記切替弁の弁座は、前記連結部材の一端部側に配設され、一端内部に収納室を有し、且つ他端に収納室を軸方向に貫通する貫通穴が設けられてなり、更に軸方向と直交する方向に形成した少なくとも二つの継手管を有し、前記各継手管にはそれぞれ前記収納室に貫通する空気吹出しポートが設けられると共に、各継手管には先端部に接続ヘッドを備えた導管が連接されており、前記弁体は前記弁座の収納室内に配設され、一端面に環状槽とエアー槽とが設けられ、かつ外周壁面に凹槽が設けられてなり、前記凹槽にエアー槽に連通する排気口と位置決め用の突起部が設けられると共に、他端に回動軸体が設けられており、前記漏洩防止ガスケットは前記弁体の環状槽内に設けられており、前記リング状体は前記弁体の凹槽に配設され、周壁に軸方向と直行する貫通穴が設けられ、且つ内壁面に、位置決め嵌合槽が設けられており、前記切替摘みは前記弁体の回動軸体の端部に装着されるようになっていることを特徴とする。
【考案の効果】
【０００６】
本考案に係るコンプレッサーの切替弁によれば、コンプレッサーの空気吹出しパイプの一端部に継手管が設けられ、他端部に継手管を貫通する空気吹出しポートが設けられた連結部材に、空気吹出しポートを有する複数の継手管に空気吹出しの切り替え可能とした切替弁を連結した構成としたので、同時に複数の空気補充用部品の連接部に螺着結合して使用することができ、実用的であり、より進歩的である。
【考案を実施するための最良の形態】
【０００７】
以下、本考案のコンプレッサーの切替弁における最良の形態について、図面を基に実施例を説明する。
【実施例】
【０００８】
図２〜４は、本考案のコンプレッサーの切替弁に係る実施例を示すものである。図中、２はコンプレッサーであって、コンプレッサー２の本体上部にはシリンダ２０が設けられており、該シリンダ２０には空気吹出しパイプ２１の一端が連接されている。そして、前記空気吹出しパイプ２１の他端には、連結部材３の継手管３０が連接されている。該連結部材３は前記継手管３０の他端に折り曲げ形成した突縁３１を有する大径の連結部３Ａが設けられている。前記継手管３０は中空環状に形成されており連結部材３の他端側の大径の連結部３Ａの中央に形成した空気吹出しポート３２と連通するようになっている。
【０００９】
前記連結部材３の他端側の大径の連結部３Ａには、弁座４、弁体５、漏洩防止ガスケット６、リング状体７、切替用の摘み８とからなる切替弁１００を連結するようになっている。
即ち、前記連結部３Ａには外周面に離間して軸方向と直交するように設けられたＡ継手管４３とＢ継手管４４を備える円筒状の収納室４０を有する弁座４が連結されるようになっている。
【００１０】
前記収納室４０一端面には、凹槽４１が環設され、他端面には収納室４０を貫通する貫通穴４２が設けられていると共に、前記Ａ継手管４３とＢ継手管４４には前記収納室４０に貫通して開口する空気吹出しポート４３０、４４０が設けられている。
前記Ａ継手管４３には先端側にＡ接続ヘッド４６を備えたＡ導管４５が接続され、前記Ｂ継手管４４の先端側にはＢ接続ヘッド４８を備えたＢ導管４７が連結されている。
【００１１】
前記弁座４の収納室４０内には、一端面に環状槽５０及びエアー槽５１が設けられた弁体５が配設されるようになっており、前記弁体５の大径の外壁面には凹槽５２が周面に沿って形成されると共に、凹槽５２にはエアー槽５１に連通する空気抜き穴５３と複数の位置決め突起部５４が設けられている。
また、他端には、小径の回動軸体５５が設けられており、該回動軸体５５の端部に、後述の、嵌合穴８０に装着される切欠面５６が設けられている。
【００１２】
前記弁体５の環状槽５０内には環状の漏洩防止ガスケット６が設けられると共に、前記凹槽５２にはリング状体７が嵌合されている。リング状体７には軸方向と直行するように貫通穴７０が設けられ、更に内周壁面には複数の位置決め嵌合槽７１が設けられている。弁体５の他端には切替え用の摘み８が配設され、該摘み８の内面には、嵌合穴８０が設けられると共に、外端面には位置決め点８１が設けられている。
【００１３】
組み立てにあっては、図２〜４を参照しながら説明する。
まず、リング状体７を弁体５の凹槽５２内に嵌設すると、凹槽５２内の位置決め突起部５４が、リング状体７の位置決め嵌合槽７１内に嵌設されて位置決めされる。そして、リング状体７の貫通穴７０を弁体５の空気抜き穴５３に向かい合うように位置決めし、漏洩防止ガスケット６を弁体５の環状槽５０内に設置する。そして、弁体５を弁座４の収納室４０内に設置することにより、弁体５の回動軸体５５が弁座４の貫通穴４２を貫通するように貫設され、また、弁体５の空気抜き穴５３を弁座４上のＡ継手管４３の空気吹出ポート４３０やＢ継手管４４の空気吹出ポート４４０に一致させて弁座４を連結部材３に設置し、これにより、連結部材３の突縁３１が弁座４の凹槽４１内に位置付けられる。このように構成してから、超音波溶接により、弁座４と連結部材３とを一体に固定する。
【００１４】
更に、摘み８を、弁体５の回動軸体５５に取り付ける。まず、切欠面５６を有する回動軸体５５の端部を摘み８の嵌合穴８０に挿設して、摘み８を回動軸体５５の端部に固定すると、摘み８の外端面にある位置決め点８１が、Ａ継手管４３かＢ継手管４４に一致するように位置決めされる。
このようにして、全体の組み立てが完成される。
【００１５】
次に、使用状態について、図３〜６を参照しながら説明する。
前記Ａ接続ヘッド４６か、あるいはＢ接続ヘッド４８を、例えばタイヤバルブなどの、空気補充用の部品に螺着結合する。
【００１６】
Ａ接続ヘッド４６で空気補充する場合には、摘み８を回転して、摘み８上の位置付け点８１を弁座４上のＡ継手管４３に位置合せする。摘み８が回転されると、摘み８により回動軸体５５が連動されて弁体５が同期回転し、弁体５の空気抜き穴５３が、弁座４のＡ継手管４３の空気吹出しポート４３０に連通可能に一致する。コンプレッサー２が駆動されると、空気が、空気吹出しパイプ２１を介して、連結部材３の空気吹出しポート３２へ導かれる。そして、弁体５の空気吹出しポート５１を介して、弁体５内に入る。そして更に、弁体５の空気吹出し穴５３に連通されたＡ継手管４３の空気吹出しポート４３０からＡ導管４５内に入り、Ａ導管４５の端部のＡ接続ヘッド４６から空気が吹出され、空気補充用の部品に補充される。
このように、本考案は、Ａ導管４５を介して空気を導入して、空気補充を行う。
【００１７】
また、Ｂ接続ヘッド４８で空気補充を行う場合には、摘み８を逆方向に回転して、摘み８の位置付け点８１を弁座４上のＢ継手管４４に面する位置に一致させる。即ち、摘み８が逆方向に回転されることにより、摘み８により回動軸体５５が連動されて、それと共に弁体５が同時に逆方向に回転され、弁体５の空気抜き穴５３が弁座４上のＢ継手管４４の空気吹出しポート４４０に連通一致するようになる。この作動位置でコンプレッサー２が駆動されると、空気が、空気吹出しパイプ２１から、連結部材３の空気吹出しポート３２に導かれ、そして、弁体５の空気吹出しポート５１を介して、弁体５内に送風される。そして、弁体５の空気吹出し穴５３上に接続されたＢ継手管４４の空気吹出しポート４４０からＢ導管４７内に入り、Ｂ導管４７の端部に連結されたＢ接続ヘッド４８から、空気が空気補充用の部品に補充されるようになる。
このように、本考案によれば、Ｂ導管４７を介しても空気が案内されて、空気補充を行うことができる。
【００１８】
本考案は摘み８と連動する切替弁を設置することで、コンプレッサー２からの空気の吹出し位置を切替できるようにしたので、同時に複数の空気補充用部品の連接部に螺着結合して切り替え使用することができ、実用的であり、従来に増してより進歩的である。
【００１９】
本考案では好ましい実施例を前述のように開示したが、これらは決して本考案を限定するものではなく、本考案の権利範囲は、実用新案登録請求の範囲に記載したものある。したがって、本考案の実用新案登録請求の範囲に包含される各種の変更や修正は、本考案の権利範囲に属するものである。
【図面の簡単な説明】
【００２０】
【図１】従来のコンプレッサーの要部斜視図。
【図２】本考案のコンプレッサーの切替弁の一実施例を示す分解斜視図。
【図３】図２の組み立て状態を示す全体斜視図。
【図４】本考案のコンプレッサーの切替弁における切替弁の断面図。
【図５】本考案のコンプレッサーの切替弁における切替弁の作動状態を示す説明断面図。
【図６】本考案のコンプレッサーの切替弁における切替弁の作動状態を示す説明断面図。
【符号の説明】
【００２１】
１      コンプレッサー
１０    シリンダ
１１    空気吹出しパイプ
１２    接続ヘッド
２      コンプレッサー
２０    シリンダ
２１    空気吹出しパイプ
３      連結部材
３０    継手管
３１    突縁
３２    空気吹出しポート
４      弁座
４０    収納室
４１    凹槽
４２    貫通穴
４３    Ａ継手管
４３０  空気吹出しポート
４４    Ｂ継手管
４４０  空気吹出しポート
４５    Ａ導管
４６    Ａ接続ヘッド
４７    Ｂ導管
４８    Ｂ接続ヘッド
５      弁体
５０    環状槽
５１    エアー槽
５２    凹槽
５３    空気抜き穴
５４    突起部
５５    回動軸体
５６    切欠面
６      漏洩防止ガスケット
７      リング状体
７０    貫通穴
７１    位置決め嵌合槽
８      切替用の摘み
８０    嵌合穴
８１    位置決め点
【図１】
0003133716.tif 000003
【図２】
0003133716.tif 000004
【図３】
0003133716.tif 000005
【図４】
0003133716.tif 000006
【図５】
0003133716.tif 000007
【図６】
0003133716.tif 000008